(57)【要約】【目的】基板上の高さを低く抑えることができる、コネクタを提供する。【構成】プラグ端子３３をリセプタクルインシュレータ１２内の一対のリセプタクル端子１３で受けるコネクタであって、リセプタクル端子１３を、該リセプタクル端子１３に接触するプラグ端子３３の挿脱方向に対して略直交方向からインシュレータ１２に圧入した。【選択図】      図１
2004178960.tif 000002
【特許請求の範囲】
【請求項１】
プラグ端子をインシュレータ内のリセプタクル端子で受けるコネクタであって、
前記リセプタクル端子が、該リセプタクル端子に接触するプラグ端子の挿脱方向に対して略直交方向からインシュレータに挿入されたことを特徴とするコネクタ。
【請求項２】
前記リセプタクル端子は、基板の導体にはんだ付けされるはんだ付け部と、このはんだ付け部からインシュレータの側面に沿って立ちあがったテール部と、このテール部の上端部からリセプタクル収容穴の天井部に沿って延びた支持部と、この支持部の両側縁部から基板方向に屈曲した屈曲支持部から延びて、該屈曲支持部に支持されて弾性的に接離方向に撓み、前記プラグ端子を挟圧する一対のプラグ挟圧端子部を備えている請求項１記載のコネクタ。
【請求項３】
前記リセプタクル端子にはニッケルメッキが施され、さらに前記はんだ付け部および前記一対のプラグ挟圧端子部には金メッキが施されている請求項１または２記載のコネクタ。
【請求項４】
前記リセプタクル端子のはんだ付け部には、その先端縁部であって、前記基板と対向する側の縁部にコイニング部が形成されている請求項１乃至３のいずれか一項記載のコネクタ。
【請求項５】
前記インシュレータには、前記リセプタクル端子が収容されるリセプタクル収容穴が側面から形成されていて、プラグが挿入されるプラグ受け穴が、プラグのインシュレータと対向する面から形成されていて、これらの穴がインシュレータ内部で連通している請求項１乃至４のいずれか一項記載のコネクタ。
【発明の詳細な説明】
【０００１】
【発明の技術分野】
本発明は、回路基板上に実装されるコネクタに関する。
【０００２】
【従来技術およびその問題点】
従来の基板上に実装されるリセプタクル側のコネクタは、リセプタクルコンタクトを、インシュレータの下面（基板側）または上面（プラグ挿入側）からインシュレータ内に圧入する構造が一般的であった。これらを接続した状態で、中央から半分を断面として図６（Ａ）、（Ｂ）に示した。図６（Ａ）は、この従来の基板実装コネクタは、基板上に実装されるリセプタクルコネクタ６１と、このリセプタクルコネクタ６１に接続されるプラグコネクタ７１からなる。リセプタクルコネクタ６１は、インシュレータ６２に形成されたリセプタクル収納穴６２ａに、下方からリセプタクル端子６３が圧入される。図７には、リセプタクル端子６３の斜視図を示している。一方のプラグコネクタ７１は、プラグインシュレータ７２に形成された、リセプタクルコネクタ６１のインシュレータ６２に当接する面に開口するプラグ収容穴７２ａ内にプラグ端子７３が圧入されている。
【０００３】
ここで、リセプタクル端子６３は、インシュレータ６２に下方から、つまり、プラグ端子７３が挿脱される方向から圧入される。したがって、プラグ端子７３を挟圧する一対の接点部６３ａは、十分な撓み量を確保するために、プラグ端子７３を挿脱する方向に所定の長さが必要とされている。そのため、リセプタクル端子６３の高さを抑えることができず、インシュレータ６２の基板上の高さが高くなっていた。また、この従来構成において、いわゆるはんだ上がりを防止するためには、はんだ付け部６３ｃと接点部６３ａとの間隔を長くとる必要があるので、接点部６３ａとはんだ付け部６３ｃとを繋ぐテール部６３ｄがプラグ端子７３の挿脱方向と直交する方向に長くなっていた。
【０００４】
【発明の目的】
本発明は、従来のコネクタの問題に鑑みてなされたもので、基板上の高さを低く抑えることができる、コネクタを提供することを目的とする。
【０００５】
【発明の概要】
この目的を達成する本発明は、プラグ端子をインシュレータ内のリセプタクル端子で受けるコネクタであって、前記リセプタクル端子が、該リセプタクル端子に接触するプラグ端子の挿脱方向に対して略直交方向からインシュレータに挿入されたこと、に特徴を有する。
この構成によれば、プラグ端子を受けるリセプタクル端子を、プラグ端子の挿脱方向と略直交する方向にインシュレータに挿入するので、基板上のインシュレータの高さを低く抑えることができる。
【０００６】
前記リセプタクル端子は、基板の導体にはんだ付けされるはんだ付け部と、このはんだ付け部からインシュレータの側面に沿って立ちあがったテール部と、このテール部の上端部からリセプタクル収容穴の天井部に沿って延びた支持部と、この支持部の両側縁部から基板方向に屈曲した屈曲支持部から延びて、該屈曲支持部に支持されて弾性的に接離方向に撓み、前記プラグ端子を挟圧する一対のプラグ挟圧端子部を備える。
この構成によれば、テール部の長さが長く、テール部からはんだ付け部までの長さを十分確保できるので、はんだ上りによる影響を防止できる。
前記リセプタクル端子にはニッケルメッキを施し、さらに前記はんだ付け部および前記一対のプラグ挟圧端子部には金メッキを施すことが好ましい。
この構成によれば、はんだははんだ付け部の金メッキ部分には乗るが、ニッケルメッキ部分にはきわめて乗り難いので、はんだ上りを防止できる。
リセプタクル端子のはんだ付け部には、その先端縁部であって、前記基板と対向する側の縁部にコイニング部を形成することが好ましい。
この構成によれば、はんだ付け部と基板との間にいわゆるはんだフィレットが形成され、はんだ付け部の端面と基板との間に接合に十分なはんだ量を確保できる。
【０００７】
【発明の実施の形態】
以下図面に基づいて本発明を説明する。図１は、本発明を適用した、２ピン用のリセプタクルコネクタの実施形態の外観を示す斜視図、図２は、同リセプタクルコネクタを下方から見た斜視図である。
【０００８】
本実施形態のリセプタクルコネクタ１１は、プラグコネクタ３１とで一組のコネクタを構成する。リセプタクルコネクタ１１は、絶縁材で形成された直方体形状のインシュレータ（ハウジング）１２と、プラグコネクタ３１の着脱方向と直交する横方向からインシュレータ１２に圧入された、２個のリセプタクル端子１３を備えている。各リセプタクル端子１３は、インシュレータ１２の側面から露出していて、底面方向に延びて、略底面位置においてインシュレータ１２外方に向かって屈曲してはんだ付け部１３ｅを構成している。
【０００９】
リセプタクル端子１３が圧入されるインシュレータ１２のリセプタクル収容穴１２ａは、図３（Ａ）、（Ｂ）に示したように、インシュレータ１２の側面（短手端面）から長手方向、つまりプラグ端子３３が挿脱される方向と略直交方向に延びる横穴である。一方、プラグ端子３３が挿入されるプラグ端子受け穴１２ｂは、インシュレータ１２の上面（基板装着面に対向する面）から縦方向に延びて基板装着面に貫通した縦穴である。そしてこれらのリセプタクル収容穴１２ａ、プラグ端子受け１２ｂは、インシュレータ１２内で連通している。
【００１０】
一方、プラグコネクタ３１は、リセプタクルコネクタ１１に対向するインシュレータ３２の嵌合面に形成されたプラグ端子収容穴３２ａに圧入されたプラグ端子３３を備えていて、プラグ端子収容穴３２ａから突出するこのプラグ端子３３の先端部分がリセプタクル端子１３と接触して導通する。なお、図１において、符号４１は各プラグ端子３３に連結されたケーブルである。
【００１１】
図４には、リセプタクル端子１３の斜視図を、図５には、このリセプタクル端子１３にプラグ端子３３を嵌合した状態の斜視図を示してある。リセプタクル端子１３は、リセプタクル収容穴１２ａに圧入されたときにリセプタクル収容穴１２ａの側壁に沿って延びる、一対のプラグ挟圧端子１３ａを備えている。このプラグ挟圧端子１３ａは、リセプタクル収容穴１２ａの天井部に沿って延びる支持部１３ｃの両縁部から下方に屈曲された屈曲支持部１３ｂから、リセプタクル収容穴１２ａの側壁に沿って延びている。一対のプラグ挟圧端子１３ａは、この屈曲支持部１３ｂからプラグ挿脱方向と直交する方向に延びて屈曲支持部１３ｂに支持されている。そして、屈曲支持部１３ｂおよびプラグ挟圧端子１３ａのばね作用により、プラグ挟圧端子１３ａが弾性的に接離方向に撓み、先端部でプラグ端子３３を挟圧する。
【００１２】
このリセプタクル端子１３は、プラグ挟圧端子１３ａの先端部がリセプタクル収容穴１２ａからプラグ端子受け穴１２ｂ内に入る位置まで、リセプタクル収容穴１２ａに圧入される。プラグ挟圧端子１３ａの先端部は、このプラグ端子受け穴１２ｂ内において、接離移動自在にかつ最接近状態に保持されている。
【００１３】
リセプタクル端子１３の支持部１３ｃには、リセプタクル収容穴１２ａから外方に露出する部分がインシュレータ１２の底面方向に屈曲するテール部１３ｄに連なり、さらにテール部１３ｄがインシュレータ１２の底面と一致する部分からインシュレータ１２の外方に屈曲したはんだ付け部１３ｅが連なっている。
【００１４】
プラグ端子３３は、この一対のプラグ挟圧端子１３ａ間に挿入され、プラグ挟圧端子１３ａ、屈曲支持部１３ｂの弾性復元力によって導通状態で挟圧保持される。
この構造によりプラグ挟圧端子１３ａは、バネ部分を十分な長さ確保できるので、プラグ挟圧端子１３ａの先端部の撓み量が十分に確保され、プラグ端子３３を安定した圧力で挟持できる。
【００１５】
さらにこの実施形態によれば、はんだ付け部１３ｅからテール部１３ｄを基板から離反する方向に立ち上げてテール部１３ｄの上端部から基板と略平行に支持部１３ｃを延ばしてあるので、テール部１３ｄが高く、長いので、はんだ上りにより悪影響を受けない。
【００１６】
リセプタクル端子１３の材料は、通常リン青銅板であり、このリン青銅板にニッケルメッキを施している。はんだ上りをさらに確実に除去するために、テール部１３ｄとプラグ挟圧端子１３ａの表面には金メッキを施し、テール部１３ｄとプラグ挟圧端子１３ａの間はニッケルメッキを露出させる。このようにニッケルメッキを露出させることにより、はんだがニッケルメッキ部分にはきわめて乗り難くなる。
【００１７】
さらに本実施形態では、はんだ付け部１３ｅが基板５１と接触する面の先端縁部に沿って溝状のコイニング部１３ｆを形成した。このようにコイニング部１３ｆを設けると、基板５１との間にいわゆるはんだフィレットが形成され、はんだ付け部１３ｅの端面と基板５１との間に接合に十分なはんだ量を確保できる。
【００１８】
以上本発明の実施形態として２接点のコネクタを示したが、本発明は３接点以上のコネクタにも適用できる。また、リセプタクル端子の圧入方向は、プラグコンタクトの挿脱方向と直交する方向であればよく、図示実施形態の場合、インシュレータ１２の長手方向の面（正面）から圧入する構造でもよい。
【００１９】
【発明の効果】
以上の説明から明らかな通り本発明は、基板実装コンタクトのリセプタクル端子を、プラグ端子が挿脱される方向に対して略直交する方向からインシュレータに圧入するので、プラグ挿脱方向の長さ、つまり基板上のリセプタクルコンタクトの高さを低く抑えることができる。
【図面の簡単な説明】
【図１】本発明を適用したコネクタの実施形態の外観を示す斜視図である。
【図２】同実施形態のリセプタクルコネクタを下方から見た斜視図である。
【図３】同実施形態のプラグコネクタおよびリセプタクルコネクタの嵌合状態を、中央から半分を縦断して示した、（Ａ）が正面図、（Ｂ）が側面図である。
【図４】同実施形態のリセプタクル端子の斜視図である。
【図５】同リセプタクル端子にプラグ端子が嵌合した状態の斜視図である。
【図６】従来のコネクタの嵌合状態を、中央から半分を縦断して示した、（Ａ）が正面図、（Ｂ）が側面図である。
【図７】従来のコネクタのリセプタクル端子を示す斜視図である。
【符号の説明】
１１  リセプタクルコネクタ
１２  インシュレータ
１２ａ  リセプタクル収容穴
１２ｂ  プラグ端子受け穴
１３  リセプタクル端子
１３ａ  プラグ挟圧端子
１３ｂ  屈曲支持部
１３ｃ  支持部
１３ｄ  テール部
１３ｅ  はんだ付け部
１３ｆ  コイニング部
３１  プラグコネクタ
３３  プラグ端子
３３ａ  プラグ端子収容穴
５１  基板
【図１】
2004178960.tif 000003
【図２】
2004178960.tif 000004
【図３】
2004178960.tif 000005
【図４】
2004178960.tif 000006
【図５】
2004178960.tif 000007
【図６】
2004178960.tif 000008
【図７】
2004178960.tif 000009